(57)【要約】【課題】安全性を確保し、且つ商用の交流にて動作する火薬庫警鳴システムを提供する。【解決手段】爆薬庫３の異常を検知し、警鳴を発する爆薬庫警鳴装置９と、爆薬庫３から防爆土堤１ｂを隔てて設けられた火工品庫４の異常を検知し、警鳴を発する火工品庫警鳴装置１２とを備える火薬庫警鳴システムに、爆薬庫３及び火工品庫４が設けられた敷地１内に交流を送電する交流送電線６ａ，６ｂと、交流送電線６ａに発生した過電流及び異常電圧を遮断する遮断装置７と、爆薬庫３に設けられており、送電された交流を直流に変換する整流装置８と、整流装置８で変換された直流を火工品庫４へ送電する直流送電線１１と、遮断装置７、整流装置８及び直流送電線１１を落雷から保護する避雷針１４とを備え、爆薬庫警鳴装置９及び火工品庫警鳴装置１２を、整流装置８で変換された直流にて動作するように構成する。【選択図】図１
2010072946.tif 000002
【特許請求の範囲】
【請求項１】
爆薬庫の異常を検知し、警鳴を発する爆薬庫警鳴装置と、該爆薬庫から防爆土堤を隔てて設けられた火工品庫の異常を検知し、警鳴を発する火工品庫警鳴装置とを備える火薬庫警鳴システムにおいて、
前記爆薬庫及び火工品庫が設けられた敷地内に交流を送電する交流送電線と、
該交流送電線に発生した過電流及び異常電圧を遮断する遮断装置と、
前記爆薬庫（又は火工品庫）に設けられており、送電された交流を直流に変換する整流装置と、
該整流装置で変換された直流を前記火工品庫（又は爆薬庫）へ送電する直流送電線と
を備え、
前記爆薬庫警鳴装置及び火工品庫警鳴装置は、
前記整流装置で変換された直流にて動作するようにしてある
ことを特徴とする火薬庫警鳴システム。
【請求項２】
直流を前記爆薬庫警鳴装置及び火工品庫警鳴装置へ出力する非常用電源装置を前記爆薬庫（又は火工品庫）に備える
ことを特徴とする請求項１に記載の火薬庫警鳴システム。
【請求項３】
前記遮断装置、整流装置及び直流送電線を落雷から保護する避雷針を備え、
前記遮断装置及び避雷針は、
前記防爆土堤に設置されている
ことを特徴とする請求項１又は請求項２に記載の火薬庫警鳴システム。
【請求項４】
前記爆薬庫警鳴装置又は火工品庫警鳴装置が発した警鳴を検出し、前記爆薬庫又は火工品庫の異常を示す情報を無線で送信する無線送信装置を前記爆薬庫（又は火工品庫）に備える
ことを特徴とする請求項１乃至請求項３のいずれか一つに記載の火薬庫警鳴システム。
【請求項５】
前記爆薬庫又は火工品庫の内部を囲繞した警戒線を含む閉回路と、
該閉回路に第１所定電流が流れた場合、前記閉回路を遮断する過電流リレーと、
前記閉回路に前記第１所定電流よりも大きい第２所定電流が流れた場合、前記閉回路を遮断するヒューズと
を備え、
前記爆薬庫警鳴装置又は火工品庫警鳴装置は、
前記閉回路の断線又は短絡を検出することにより、異常を検知するようにしてある
ことを特徴とする請求項１乃至請求項４のいずれか一つに記載の火薬庫警鳴システム。
【請求項６】
前記爆薬庫及び／又は火工品庫を撮像する撮像装置を備え、該撮像装置は、前記整流装置で変換された直流にて動作するようにしてある
ことを特徴とする請求項１乃至請求項５のいずれか一つに記載の火薬庫警鳴システム。
【発明の詳細な説明】
【技術分野】
【０００１】
本発明は、爆薬庫及び火工品庫の異常を検知し、警鳴を発する火薬庫警鳴システムに関する。
【背景技術】
【０００２】
火薬庫は、爆薬を貯蔵する爆薬庫と、起爆のための雷管、信管、導火線等の火工品を貯蔵する火工品庫とで構成され、爆薬庫及び火工品庫は、火薬類を安全に保安管理するために防爆土堤を隔てて設置されている。また、爆薬庫及び火工品庫夫々に、爆薬庫及び火工品庫の異常を検知し、警鳴を発する爆薬庫警鳴装置及び火工品庫警鳴装置が設けられている。各警鳴装置の電源は、電池式であり、例えば３Ｖの電池４本を直列接続した構成である。
【特許文献１】特開昭５６−２２８８５号公報
【発明の開示】
【発明が解決しようとする課題】
【０００３】
ところで、爆薬庫警鳴装置及び火工品庫警鳴装置の電源として電池式を採用した場合、電圧の低下によって爆薬庫警鳴装置及び火工品庫警鳴装置が誤動作する虞があり、定期的な電池交換の手間を要するという問題があった。
なお、商用の交流を１２Ｖの直流に変換して、爆薬庫警鳴装置及び火工品庫警鳴装置に供給することも考えられるが、火薬及び火工品を貯蔵しているという特殊な事情があるため、交流電源の採用が試みられることは無かった。
【０００４】
本発明は斯かる事情に鑑みてなされたものであり、安全性を確保し、且つ交流電源の交流を直流に変換して爆薬庫警鳴装置及び火工品庫警鳴装置に供給することができる火薬庫警鳴システムを提供することを目的とする。
【０００５】
本発明の他の目的は、遮断装置及び避雷針を防爆土堤に設置することにより、安全性を向上させることができる火薬庫警鳴システムを提供することにある。
【０００６】
本発明の他の目的は、非常用電源装置を備えることにより、停電が発生した場合であっても火薬庫の保安管理を行うことができる火薬庫警鳴システムを提供することにある。
【０００７】
本発明の他の目的は、警鳴を検出し、爆薬庫又は火工品庫の異常を示す情報を無線で送信することができる火薬庫警鳴システムを提供することにある。
【０００８】
本発明の他の目的は、爆薬庫又は火工品庫の内部を囲繞した警戒線を流れる電流を制限するための過電流リレーと、該過電流リレーの制限電流よりも大電流が流れた場合に溶断するヒューズとを備えることにより、火薬庫警鳴システムの安全性を確保し、且つ過電流リレーによる閉回路の断線を簡易に復旧させることができる火薬庫警鳴システムを提供することにある。
【０００９】
本発明の他の目的は、交流を変換して得た直流で動作する撮像装置を備えることにより、爆薬庫又は火工品庫の異常を画像で確認することができる火薬庫警鳴システムを提供することにある。
【課題を解決するための手段】
【００１０】
本発明に係る火薬庫警鳴システムは、爆薬庫の異常を検知し、警鳴を発する爆薬庫警鳴装置と、該爆薬庫から防爆土堤を隔てて設けられた火工品庫の異常を検知し、警鳴を発する火工品庫警鳴装置とを備える火薬庫警鳴システムにおいて、前記爆薬庫及び火工品庫が設けられた敷地内に交流を送電する交流送電線と、該交流送電線に発生した過電流及び異常電圧を遮断する遮断装置と、前記爆薬庫（又は火工品庫）に設けられており、送電された交流を直流に変換する整流装置と、該整流装置で変換された直流を前記火工品庫（又は爆薬庫）へ送電する直流送電線とを備え、前記爆薬庫警鳴装置及び火工品庫警鳴装置は、前記整流装置で変換された直流にて動作するようにしてあることを特徴とする。
【００１１】
本発明にあっては、交流送電線にて送電された交流は、爆薬庫に設けられた整流装置によって直流に変換され、爆薬庫警鳴装置に供給される。また、整流装置によって変換された直流は、直流送電線を通じて火工品庫警鳴装置に供給される。従って、爆薬庫警鳴装置及び火工品庫警鳴装置を交流電源によって動作させることができ、電池が不要になる。
また、落雷等によって交流送電線に発生した過電流及び異常電圧は、遮断装置によって遮断されるため、該過電流及び異常電圧が爆薬庫警鳴装置及び火工品庫警鳴装置に印加されることは無い。
以上、整流装置を爆薬庫に設けた場合を説明したが、整流装置を火工品庫に設けた場合も同様である。なお、この場合、整流装置によって変換された直流は、火工品庫警鳴装置に供給され、また直流送電線を通じて爆薬庫警鳴装置に供給される。
【００１２】
本発明に係る火薬庫警鳴システムは、直流を前記爆薬庫警鳴装置及び火工品庫警鳴装置へ出力する非常用電源装置を前記爆薬庫（又は火工品庫）に備えることを特徴とする。
【００１３】
本発明にあっては、非常用電源装置を備えているため、停電が発生しても直流を爆薬庫警鳴装置及び火工品庫警鳴装置に供給し、警鳴システムを安定的に動作させることができる。
【００１４】
本発明に係る火薬庫警鳴システムは、前記遮断装置、整流装置及び直流送電線を落雷から保護する避雷針を備え、前記遮断装置及び避雷針は、前記防爆土堤に設置されていることを特徴とする。
【００１５】
本発明にあっては、遮断装置、整流装置及び直流送電線は、避雷針によって落雷から保護されているため、遮断装置の下流側で落雷による過電流及び異常電圧が発生することは無い。また、遮断装置及び避雷針は防爆土堤に設置されているため、落雷による被害を防爆土堤にとどめることができ、該被害は爆薬庫又は火工品庫に及ばない。
【００１６】
本発明に係る火薬庫警鳴システムは、前記爆薬庫警鳴装置又は火工品庫警鳴装置が発した警鳴を検出し、前記爆薬庫又は火工品庫の異常を示す情報を無線で送信する無線送信装置を前記爆薬庫（又は火工品庫）に備えることを特徴とする。
【００１７】
本発明にあっては、無線通信装置は、整流装置と共に爆薬庫又は火工品庫に設けられている。無線通信装置及び整流装置を爆薬庫側又は火工品庫側にまとめることによって、爆薬庫及び火工品庫夫々に分けて設ける場合に比べて、送電損失を効果的に抑えることが可能になる。
【００１８】
本発明に係る火薬庫警鳴システムは、前記爆薬庫又は火工品庫の内部を囲繞した警戒線を含む閉回路と、該閉回路に第１所定電流が流れた場合、前記閉回路を遮断する過電流リレーと、前記閉回路に前記第１所定電流よりも大きい第２所定電流が流れた場合、前記閉回路を遮断するヒューズとを備え、前記爆薬庫警鳴装置又は火工品庫警鳴装置は、前記閉回路の断線又は短絡を検出することにより、異常を検知するようにしてあることを特徴とする。
【００１９】
本発明にあっては、爆薬庫又は火工品庫の内部を囲繞した警戒線の断線又は短絡を検出することによって、異常を検知しているところ、第２所定電流が流れた場合に閉回路を遮断するヒューズを備えているため、閉回路を流れる電流を確実に第２所定電流未満に制限することが可能になる。第２所定電流未満に制限するのは、爆薬庫及び火工品庫の安全を確保するためである。
また、閉回路に第２所定電流よりも小さい第１所定電流が流れた場合、閉回路を遮断する過電流リレーを備えているため、ヒューズが溶断する前に閉回路を遮断することが可能になる。過電流リレーは、閉回路を再び閉じることによって、火薬庫警鳴システムを復旧させることが可能である。
【００２０】
本発明に係る火薬庫警鳴システムは、前記爆薬庫及び／又は火工品庫を撮像する撮像装置を備え、該撮像装置は、前記整流装置で変換された直流にて動作するようにしてあることを特徴とする。
【００２１】
本発明にあっては、撮像装置は、整流装置で変換された直流によって動作し、爆薬庫及び火工品庫、又は爆薬庫若しくは火工品庫のいずれか一方を撮像する。電池式の電源を備えた従来の火薬庫警鳴システムでは、電池に蓄えられた電力に対して撮像装置の電力消費量が大きく、該撮像装置を動作させることが不可能であったが、本発明の構成では、送電された交流を直流に変換して撮像装置に給電する構成であるため、爆薬庫及び火工品庫の撮像が可能になる。
【発明の効果】
【００２２】
本発明によれば、安全性を確保し、且つ交流電源の交流を直流に変換して爆薬庫警鳴装置及び火工品庫警鳴装置に供給して動作させることができる。
【００２３】
本発明によれば、遮断装置及び避雷針を防爆土堤に設置することにより、安全性を向上させることができる。
【００２４】
本発明によれば、非常用電源装置を備えることにより、停電が発生した場合であっても火薬庫の保安管理を行うことができる。
【００２５】
本発明によれば、警鳴を検出し、爆薬庫又は火工品庫の異常を示す情報を無線で送信することができる。
【００２６】
本発明によれば、火薬庫警鳴システムの安全性を確保し、且つ過電流リレーによる閉回路の断線を簡易に復旧させることができる。
【００２７】
本発明によれば、爆薬庫又は火工品庫の異常を画像で確認することができる。
【発明を実施するための最良の形態】
【００２８】
以下、本発明をその実施の形態を示す図面に基づいて詳述する。
図１は、本発明の実施の形態に係る火薬庫警鳴システムの外観を模式的に示す平面図、図２は、図１のII-II線断面図、図３は、火薬庫警鳴システムの構成を模式的に示すブロック図である。図中１は、火薬庫が設置される略方形の敷地であり、敷地１の周囲は防爆土堤１ａ及び柵２で囲まれている。敷地１は、逆Ｔ字状の防爆土堤１ｂによって２分され、２分された敷地１の一方（図１中右側）には爆薬庫３が設けられ、敷地１の他方（図１中左側）には火工品庫４が設けられている。爆薬庫３及び火工品庫４は、夫々鉄筋コンクリート造、又はコンクリートブロック造の外壁と、鉄板を使用した防火扉と、不燃性材料からなる屋根とを有し、夫々爆薬及び火工品を貯蔵している。本発明の実施の形態に係る火薬庫警鳴システムは、爆薬庫３及び火工品庫４の異常を検知して警鳴を発するシステムであり、商用１００Ｖの交流によって動作するように構成されている。以下では、まず火薬庫警鳴システムの給電に係る構成を説明し、次いで警鳴部分に関する構成を説明する。
【００２９】
本実施の形態に係る火薬庫警鳴システムは、敷地１外の電柱５から敷地１内へ交流を送電するための交流送電線６ａを備える。爆薬庫３及び火工品庫４間の防爆土堤１ｂには遮断装置７を支持した支持柱７ａが立設されており、交流送電線６ａは、電柱５と支持柱７ａとの間に架空され、遮断装置７に接続されている。
【００３０】
遮断装置７は、落雷等によって交流送電線６ａに発生した過電流を遮断する漏電遮断器７ｂと、交流送電線６ａに発生した異常電圧を遮断する避雷器７ｃとを備え、漏電遮断器７ｂ及び避雷器７ｃは交流送電線６ａに直列接続されている。
【００３１】
また、本実施の形態に係る火薬庫警鳴システムは、爆薬庫３の外壁に設置されており、交流を直流に変換する整流装置８と、遮断装置７から整流装置８へ交流を送電する交流送電線６ｂと、爆薬庫３側の整流装置８で変換された直流を爆薬庫３から火工品庫４へ送電する直流送電線１１と、爆薬庫３の外壁に設置された非常用電源装置８ａとを備える。交流送電線６ｂの一端は、遮断装置７の下流側に接続されており、他端は整流装置８に接続されている。整流装置８は、交流送電線６ｂを通じて供給された１００Ｖの交流を１２Ｖの直流に変換し、変換した直流を爆薬庫３に設置された爆薬庫警鳴装置９に供給する。また、整流装置８は、変換された直流を、火工品庫４の外壁に設置された火工品庫警鳴装置１２へ直流送電線１１を通じて供給する。なお、直流送電線１１の火工品庫４側の途中には避雷器１３が介装されている。非常用電源装置８ａは、整流装置８の出力側に接続されており、交流が供給されている場合、整流装置８で変換された直流によって充電される。停電によって、交流が供給されない状態になった場合、非常用電源装置８ａは、整流装置８に代わって、直流を爆薬庫警鳴装置９及び火工品庫警鳴装置１２へ供給する。
なお、図１及び図２に示す交流送電線６ｂ及び直流送電線１１の配線は、模式的に図示したものであり、実際の配線経路は適宜設計される。
【００３２】
更に、火薬庫警鳴システムは、遮断装置７、整流装置８、爆薬庫警鳴装置９、火工品庫警鳴装置１２、及び直流送電線１１を落雷から保護すべく、爆薬庫３及び火工品庫４間の防爆土堤１ｂの適宜箇所に立設された避雷針１４を備える。避雷針１４によって保護される保護角は４５°、即ち避雷針１４の頂点から、避雷針１４に対して４５°の角度をなす円錐の範囲が保護範囲になるため、該保護範囲内に遮断装置７、整流装置８、爆薬庫警鳴装置９、火工品庫警鳴装置１２、及び直流送電線１１が収まるように各装置又は電線の配置、避雷針１４の長さが設定されている。
【００３３】
次いで、警鳴部分に関する構成を説明する。図３に示すように、爆薬庫警鳴装置９は、爆薬庫３の内部を囲繞した爆薬庫警戒線９ｃと、爆薬庫３の開扉によって開閉する爆薬庫扉スイッチ９ａと、爆薬庫振動センサ９ｂとを含む閉回路を備え、該閉回路に１０ｍＡ未満の微弱電流を流し、該閉回路の断線又は短絡を検出することによって、爆薬庫３の異常を検知するように構成されている。なお、爆薬が着火することを防止すべく、爆薬庫３内の閉回路に流れる電流は１０ｍＡ未満に制限されている。また、閉回路の途中には、メータリレー９ｄと、ヒューズ９ｅとが直列的に介装されている。メータリレー９ｄは、可動コイル型であり、流れている電流を表示する電流表示部と、例えば９ｍＡ（第１所定電流）以上の電流が流れた場合、開状態になるリレーとを備える。また、メータリレー９ｄは、開状態になったリレーを再び閉状態にして復旧させるための復旧ボタンを備える。ヒューズ９ｅは、１０ｍＡ（第２所定電流）で溶断し、閉回路を遮断する仕様である。
爆薬庫警鳴装置９は、警鳴を発するブザー９ｆを備えており、前記閉回路の断線又は短絡によって爆薬庫３の異常を検知した場合、ブザー９ｆを通電させて警鳴を発する。
【００３４】
火工品庫４側の警鳴に係る構成も、爆薬庫３側と同様であり、火工品庫警鳴装置１２は、火工品庫４の内部を囲繞した火工品庫警戒線１２ｃと、火工品庫扉スイッチ１２ａと、火工品庫振動センサ１２ｂと、メータリレー１２ｄと、ヒューズ１２ｅと、ブザー１２ｆとを備え、直流送電線１１を通じて整流装置８から供給された直流にて動作する。
【００３５】
更に、爆薬庫警鳴装置９は、爆薬庫３の外壁に設置された無線送信装置１０を備える。無線送信装置１０は、爆薬庫警鳴装置９又は火工品庫警鳴装置１２が発した警鳴を検出するマイク、該マイクが警鳴を検出した場合、爆薬庫３又は火工品庫４に異常がある旨を示す情報を無線で送信する送信部を備える。
【００３６】
敷地１外に設置された火薬庫管理事務所には、無線送信装置１０から送信された情報を受信する無線受信装置１５と、無線受信装置１５が爆薬庫３又は火工品庫４の異常を示す情報を受信した場合、その旨の情報を火薬庫管理者の携帯通信端末へ送信する通報装置１６とが設置されている。なお、携帯通信端末は一例であり、少なくとも前記情報を受信できる火薬庫管理者の通信装置へ送信すれば良い。
【００３７】
このように構成された火薬庫警鳴システムによれば、交流送電線６ａ，６ｂによって敷地１外から商用１００Ｖの交流を爆薬庫３へ送電し、整流装置８で交流を直流に変換し、変換された直流によって爆薬庫警鳴装置９を動作させることができる。また、整流装置８で変換された直流を直流送電線１１で火工品庫警鳴装置１２へ供給し、火工品庫警鳴装置１２を動作させることができる。更に、交流送電線６ａ，６ｂの途中には遮断装置７が介装され、遮断装置７、整流装置８、直流送電線１１等は避雷針１４によって落雷から保護されているため、落雷による過電流又は異常電圧が爆薬庫３及び火工品庫４側に印加される虞はない。
従って、安全性を確保し、且つ商用の交流で火薬庫警鳴システムを動作させることができる。
【００３８】
また、遮断装置７及び避雷針１４は防爆土堤１ｂに設置されているため、落雷によって遮断装置７及び避雷針１４に生じた被害が爆薬庫３及び火工品庫４に及ぶことを効果的に防ぐことができ、安全性を向上させることができる。
【００３９】
更に、非常用電源装置８ａを備えているため、停電が発生した場合であっても、火薬庫警鳴システムを動作させることができる。
【００４０】
更にまた、警鳴を検出し、敷地１外の火薬庫管理事務所へ送信する無線送信装置１０を整流装置８及び非常用電源装置８ａが設置された爆薬庫３に設置してあるため、送電による電力の損失を抑えることができる。特に、停電が発生した場合、非常用電源装置８ａの電力損失を抑えることができるため、効果的である。
【００４１】
更にまた、電柱５及び遮断装置７間の交流送電線６ａは、防爆土堤１ｂの上方に架空されているため、落雷によって交流送電線６ａに生じた被害を防爆土堤上にとどめることができ、火薬庫警鳴システムの安全性を向上させることができる。
なお、遮断装置７を敷地１外に設けることも考えられるが、遮断装置７を敷地１外に設けた場合、敷地１外の遮断装置７をも落雷から保護できる大型の避雷針１４が必要になるという問題がある。避雷針１４が大型化した場合、コスト高になり、しかも落雷を招きやすくなるため、安全性が低下する虞がある。
【００４２】
更にまた、交流送電線６ａは、爆薬庫３及び火工品庫４間の防爆土堤に沿って配線され、遮断装置７も爆薬庫３及び火工品庫４間に配置されている。従って、落雷から保護すべき範囲を狭くして避雷針１４を小型化することができ、安全性を向上させることができる。
【００４３】
（変形例１）
図４は、変形例１に係る火薬庫警鳴システムの外観を模式的に示す平面図である。変形例１に係る火薬庫警鳴システムは、爆薬庫３又は火工品庫４を選択的に撮像し、撮像して得た撮像信号を爆薬庫警鳴装置１０９へ出力する撮像装置１７、及び法線方向の回動軸で撮像装置１７を回動させる撮像装置駆動部１７ａを備える（図５参照）。直流送電線１１は途中で分岐しており、分岐した直流送電線１１によって撮像装置１７及び撮像装置駆動部１７ａに直流が給電されている。
【００４４】
図５は、変形例１に係る爆薬庫警鳴装置１０９及び火工品庫警鳴装置１１２の構成を模式的に示すブロック図である。爆薬庫警鳴装置１０９は、各構成部の動作を制御する制御部１０９ｇ、例えばＣＰＵ（Central Processing Unit ）を備えたコンピュータである。制御部１０９ｇには、コンピュータの動作に必要なコンピュータプログラムを記憶した記憶部１０９ｈ、演算に伴って発生する情報を一時的に記憶するＲＡＭ１０９ｉ、爆薬庫３に設けられた閉回路の断線又は短絡を検出するための信号が入力される第１断線・短絡信号入力部１０９ｊ、ブザー９ｆを動作させるための警鳴信号を出力する第１警鳴信号出力部１０９ｋ、撮像装置１７に撮像指示を与え、撮像装置１７から出力された撮像信号が入力される撮像信号入出力部１０９ｌ、撮像信号に基づいて生成された画像データを無線送信装置１０へ出力する画像データ出力部１０９ｍ、撮像装置駆動部１７ａを駆動させるための駆動信号を出力する駆動信号出力部１０９ｎ、火工品庫４の異常を通知するための信号が入力される第２断線・短絡信号入力部１０９ｏを備える。
【００４５】
火工品庫警鳴装置１１２は、爆薬庫警鳴装置１０９と同様、制御部１１２ｇ、記憶部１１２ｈ、ＲＡＭ１１２ｉ、火工品庫４に設けられた閉回路の断線又は短絡を検出するための信号が入力される断線・短絡信号入力部１１２ｊ、火工品庫４の異常を通知する信号が出力される断線・短絡信号出力部１１２ｋ、及びブザー１２ｆを動作させるための警鳴信号を出力する第２警鳴信号出力部１１２ｌを備える。制御部１１２ｇは、火工品庫４に設けられた閉回路の断線又は短絡を検出した場合、ブザー１２ｆを動作させると共に、火工品庫４の異常を通知する信号を断線・短絡信号出力部１１２ｋから第２断線・短絡信号入力部１０９ｏへ出力させる。
【００４６】
図６は、変形例１に係る制御部１０９ｇの処理手順を示すフローチャートである。制御部１０９ｇは、第１断線・短絡信号入力部１０９ｊに入力された信号に基づいて、爆薬庫３に異常があるか否か、つまり爆薬庫３側の閉回路が断線又は短絡したか否かを判定する（ステップＳ１１）。爆薬庫３に異常があると判定した場合（ステップＳ１１：ＹＥＳ）、制御部１０９ｇは、駆動信号を撮像装置駆動部１７ａに与え、爆薬庫３が撮像範囲に入るよう、爆薬庫３側（図４中右上方）に撮像装置１７を回動させる（ステップＳ１２）。爆薬庫３に異常が無いと判定した場合（ステップＳ１１：ＮＯ）、制御部１０９ｇは、第２断線・短絡信号入力部１０９ｏに入力された信号に基づいて、火工品庫４に異常があるか否か、つまり火工品庫４側の閉回路が断線又は短絡しているか否かを判定する（ステップＳ１３）。火工品庫４に異常がないと判定した場合（ステップＳ１３：ＮＯ）、制御部１０９ｇは、処理を終える。火工品庫４に異常がある判定した場合（ステップＳ１３：ＹＥＳ）、制御部１０９ｇは、駆動信号を撮像装置駆動部１７ａに与え、火工品庫４が撮像範囲に入るよう、火工品庫４側に（図４中左上方）に撮像装置１７を回動させる（ステップＳ１４）。
【００４７】
ステップＳ１２又はステップＳ１４の処理を終えた場合、制御部１０９ｇは、警鳴信号をブザー９ｆに与え、警鳴を発する（ステップＳ１５）。そして、制御部１０９ｇは、撮像装置１７に撮像を開始させるべく、撮像装置１７に撮像指示を与え（ステップＳ１６）、撮像装置１７から出力された撮像信号を取得する（ステップＳ１７）。そして、制御部１０９ｇは、撮像信号に各種画像処理を施し、画像処理後の画像データを無線送信装置１０にて送信する（ステップＳ１８）。無線送信装置１０によって無線で送信された画像データは、火薬庫管理事務所側の無線受信装置１５にて受信され、通報装置１６によって火薬庫管理者の携帯通信端末へ送信される。
【００４８】
次いで、制御部１０９ｇは、警鳴停止の指示を受けたかを判定する（ステップＳ１９）。例えば、爆薬庫警鳴装置１０９に設けられた図示しない警鳴停止ボタンが押圧された場合、警鳴停止の指示を受けたと判定する。警鳴停止の指示を受けていないと判定した場合（ステップＳ１９：ＮＯ）、制御部１０９ｇは、処理をステップＳ１５へ戻す。警鳴を停止すると判定した場合（ステップＳ１９：ＹＥＳ）、制御部１０９ｇは処理を終える。
【００４９】
変形例１に係る火薬庫警鳴システムによれば、異常が検知された爆薬庫３又は火工品庫４を撮像し、撮像して得た画像データを無線送信装置１０にて火薬庫管理事務所及び火薬庫管理者の携帯通信端末へ送信することができる。
【００５０】
なお、変形例１では、爆薬庫３又は火工品庫４のいずれか一方を撮像し、撮像して得た画像データを送信するように構成してあるが、爆薬庫３及び火工品庫４のいずれにも異常があると判定した場合、定期的に撮像装置１７を回動させて爆薬庫３及び火工品庫４の双方を撮像し、撮像して得た画像データを送信するように構成しても良い。
また、爆薬庫３又は火工品庫４を選択的に撮像するように構成してあるが、広角レンズ等を用いて、爆薬庫３又は火工品庫４を同時に撮像するように構成しても良い。
【００５１】
（変形例２）
変形例２に係る火薬庫警鳴システムは、爆薬庫３及び火工品庫４の異常箇所を検知するように構成されている。
【００５２】
図７は、変形例２に係る爆薬庫警鳴装置２０９及び火工品庫警鳴装置２１２の構成を模式的に示すブロック図である。爆薬庫警鳴装置２０９は、変形例１と同様、制御部２０９ｇ、記憶部２０９ｈ、ＲＡＭ２０９ｉ、第１断線・短絡信号入力部２０９ｊ、第１警鳴信号出力部２０９ｋ、爆薬庫３又は火工品庫４の異常箇所を示す情報を無線送信装置へ出力する異常箇所情報出力部２０９ｍ及び第２断線・短絡信号入力部２０９ｏを備える。また、変形例２に係る爆薬庫警鳴装置２０９は、爆薬庫３に設けられた爆薬庫扉スイッチ９ａ、爆薬庫振動センサ９ｂ、爆薬庫３の異なる箇所に配線された複数の爆薬庫警戒線９ｃ，９ｃ・・・によって夫々独立して構成された複数の閉回路を備え、各閉回路の断線又は短絡を検出するための信号が第１断線・短絡信号入力部２０９ｊに夫々入力されるように構成されている。
【００５３】
火工品庫警鳴装置２１２は、変形例１と同様、制御部２１２ｇ、記憶部２１２ｈ、ＲＡＭ２１２ｉ、断線・短絡信号入力部２１２ｊ、断線・短絡信号出力部２１２ｏ及び第２警鳴信号出力部２１２ｋを備える。また、変形例２に係る火工品庫警鳴装置２１２は、爆薬庫３と同様、火工品庫４に設けられた火工品庫扉スイッチ１２ａ、火工品庫振動センサ１２ｂ、火工品庫４の異なる箇所に配線された複数の火工品庫警戒線１２ｃ，１２ｃ・・・によって夫々独立して構成された複数の閉回路を備え、各閉回路の断線又は短絡を検出するための信号が断線・短絡信号入力部２１２ｊに夫々入力されるように構成されている。制御部２１２ｇは、火工品庫４に設けられた火工品庫扉スイッチ１２ａ、火工品庫振動センサ１２ｂ、複数の火工品庫警戒線１２ｃ，１２ｃ・・・のいずれかが断線又は短絡した場合、ブザー１２ｆを動作させると共に、断線又は短絡箇所に示す信号を断線・短絡信号出力部２１２ｏから第２断線・短絡信号入力部２０９ｏへ出力する。
【００５４】
図８は、変形例２に係る制御部２０９ｇの処理手順を示すフローチャートである。制御部２０９ｇは、第１断線・短絡信号入力部２０９ｊに入力された信号に基づいて、爆薬庫３に異常があるか否かを判定する（ステップＳ３１）。爆薬庫３に異常があると判定した場合（ステップＳ３１：ＹＥＳ）、制御部２０９ｇは、第１断線・短絡信号入力部２０９ｊに入力された信号に基づいて、爆薬庫３の異常箇所を特定する（ステップＳ３２）。爆薬庫３に異常が無いと判定した場合（ステップＳ３１：ＮＯ）、制御部２０９ｇは、第２断線・短絡信号入力部２０９ｏに入力された信号に基づいて、火工品庫４に異常があるか否かを判定する（ステップＳ３３）。火工品庫４に異常が無いと判定した場合（ステップＳ３３：ＮＯ）、制御部２０９ｇは処理を終える。火工品庫４に異常があると判定した場合（ステップＳ３３：ＹＥＳ）、制御部２０９ｇは、第２断線・短絡信号入力部２０９ｏに入力された信号に基づいて、火工品庫４の異常箇所を特定する（ステップＳ３４）。
【００５５】
ステップＳ３２又はステップＳ３４の処理を終えた場合、制御部２０９ｇは、警鳴信号をブザーに与え、警鳴を発する（ステップＳ３５）。そして、制御部２０９ｇは、異常箇所を示した異常箇所情報を異常箇所情報出力部２０９ｍを通じて無線送信装置１０に送信させる（ステップＳ３６）。次いで、制御部２０９ｇは、警鳴停止の指示を受けたかを判定する（ステップＳ３７）。警鳴停止の指示を受けていないと判定した場合（ステップＳ３７：ＮＯ）、制御部２０９ｇは、処理をステップＳ３５へ戻す。警鳴を停止すると判断した場合（ステップＳ３７：ＹＥＳ）、制御部２０９ｇは処理を終える。
【００５６】
変形例２に係る爆薬庫警鳴装置２０９にあっては、異常箇所を無線で通知することができる。
【００５７】
なお、実施の形態にあっては、整流装置及び非常用電源装置を爆薬庫側に備え、直流を爆薬庫側から火工品庫側へ送電するように構成されているが、整流装置及び非常用電源装置を火工品庫側に備え、直流を火工品庫側から爆薬庫側へ送電するように構成しても良い。
【００５８】
また、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【００５９】
【図１】本発明の実施の形態に係る火薬庫警鳴システムの外観を模式的に示す平面図である。
【図２】図１のII-II線断面図である。
【図３】火薬庫警鳴システムの構成を模式的に示すブロック図である。
【図４】変形例１に係る火薬庫警鳴システムの外観を模式的に示す平面図である。
【図５】変形例１に係る爆薬庫警鳴装置及び火工品庫警鳴装置の構成を模式的に示すブロック図である。
【図６】変形例１に係る制御部の処理手順を示すフローチャートである。
【図７】変形例２に係る爆薬庫警鳴装置及び火工品庫警鳴装置の構成を模式的に示すブロック図である。
【図８】変形例２に係る制御部の処理手順を示すフローチャートである。
【符号の説明】
【００６０】
１  敷地
３  爆薬庫
４  火工品庫
７  遮断装置
７ｂ  漏電遮断器
７ｃ  避雷器
８  整流装置
８ａ  非常用電源装置
９  爆薬庫警鳴装置
９ａ  爆薬庫扉スイッチ
９ｂ  爆薬庫振動センサ
９ｃ  爆薬庫警戒線
９ｄ  メータリレー
９ｅ  ヒューズ
１０  無線送信装置
１１  直流送電線
１２  火工品庫警鳴装置
１２ａ  火工品庫扉スイッチ
１２ｂ  火工品庫振動センサ
１２ｃ  火工品庫警戒線
１２ｄ  メータリレー
１２ｅ  ヒューズ
１４  避雷針
１７  撮像装置
【図１】
2010072946.tif 000003
【図２】
2010072946.tif 000004
【図３】
2010072946.tif 000005
【図４】
2010072946.tif 000006
【図５】
2010072946.tif 000007
【図６】
2010072946.tif 000008
【図７】
2010072946.tif 000009
【図８】
2010072946.tif 000010